(57)【要約】【課題】所望のデジタル音声映像情報と所望のＪａｖａ（登録商標）プログラムとをＢＤに記録することができる記録装置を提供する。【解決手段】外部撮像装置２，３で撮影したデジタル音声映像情報を入力する入力部１１と、前記入力されたデジタル音声映像情報をＢＤＭＶ形式のデジタル音声映像情報に変換する変換部１２と、一又は複数のネットワーク接続機能を有するプログラムが格納された記憶部１４と、前記変換部で変換されたＢＤＭＶ方式のデジタル音声映像情報と、前記記憶部に格納されたプログラムとをブルーレイディスク媒体に記録する記録制御部１５と、を備える。【選択図】  図１
2010113792.tif 000002
【特許請求の範囲】
【請求項１】
外部撮像装置で撮影したデジタル音声映像情報を入力する入力部と、
前記入力されたデジタル音声映像情報をＢＤＭＶ形式のデジタル音声映像情報に変換する変換部と、
一又は複数のネットワーク接続機能を有するプログラムであって、再生装置を所定のサーバに接続して当該再生装置に前記撮像装置に関連付けられた情報をダウンロードするステップを含むプログラムが格納された記憶部と、
前記変換部で変換されたＢＤＭＶ方式のデジタル音声映像情報と、前記記憶部に格納されたプログラムとをブルーレイディスク媒体に記録する記録制御部と、を備えたことを特徴とするデジタル音声映像情報の記録装置。
【請求項２】
請求項１に記載のデジタル音声映像情報の記録装置において、
前記記憶部に格納されたプログラムを選択する選択部をさらに備え、
前記記録制御部は、前記変換部で変換されたＢＤＭＶ方式のデジタル音声映像情報と、前記選択部で選択されたプログラムとをブルーレイディスク媒体に記録することを特徴とするデジタル音声映像情報の記録装置。
【請求項３】
請求項１又は２に記載のデジタル音声映像情報の記録装置において、
前記プログラムは、前記再生装置を複数の所定のサーバに連続的又は選択可能に接続するステップを含むことを特徴とするデジタル音声映像情報の記録装置。
【請求項４】
請求項１〜３のいずれか一項に記載のデジタル音声映像情報の記録装置において、
前記プログラムは、前記ブルーレイディスク媒体に予め記録された又は当該記録装置により書き込まれた当該ブルーレイディスク媒体の固有識別子を前記再生装置に接続されたサーバに送信し、
前記サーバは、受信したブルーレイディスク媒体の固有識別子に基づいて送信する情報を選択することを特徴とするデジタル音声映像情報の記録装置。
【請求項５】
請求項１〜４のいずれか一項に記載のデジタル音声映像情報の記録装置において、
前記プログラムは、再生装置を所定のサーバに接続して、前記ブルーレイディスク媒体に記録されたデジタル音声映像情報をアップロードするステップを含むことを特徴とするデジタル音声映像情報の記録装置。
【請求項６】
請求項１〜５のいずれか一項に記載のデジタル音声映像情報の記録装置において、
前記プログラムは、再生装置において前記ブルーレイディスク媒体に記録されたデジタル音声映像情報を再生中に、所望の情報位置を当該再生装置の記憶部に記録するステップを含むことを特徴とするデジタル音声映像情報の記録装置。
【請求項７】
請求項１〜６のいずれか一項に記載のデジタル音声映像情報の記録装置において、
前記プログラムは、再生装置において前記ブルーレイディスク媒体に記録されたデジタル音声映像情報を再生中に、所望の情報位置を検索するステップを含むことを特徴とするデジタル音声映像情報の記録装置。
【請求項８】
請求項１〜７のいずれか一項に記載のデジタル音声映像情報の記録装置において、
前記プログラムは、遊戯プログラムを含むことを特徴とするデジタル音声映像情報の記録装置。
【発明の詳細な説明】
【技術分野】
【０００１】
本発明は、高解像度ビデオカメラやデジタルカメラで撮影した映像信号や音声信号と、所望のネットワーク接続機能を有するプログラムとをブルーレイディスク媒体に記録する記録装置に関する。
【背景技術】
【０００２】
ブルーレイディスク媒体（以下、ＢＤともいう。）のような高密度記録媒体にデジタル音声映像情報を記録する記録装置が知られている（特許文献１）。ＢＤフォーマットにおいては、音声映像情報に加えてネットワーク接続機能を有するＪａｖａ（登録商標）プログラムを記録できるので、ＢＤを再生した場合にＪａｖａ（登録商標）プログラムに指定されたサーバからの情報をダウンロードすることができる。
【先行技術文献】
【特許文献】
【０００３】
【特許文献１】特開２００８−２１７９４６号公報
【発明の概要】
【発明が解決しようとする課題】
【０００４】
従来のＢＤでは、映画などのコンテンツとＪａｖａ（登録商標）プログラムとを原盤に記録し、これをプレスすることによりＪａｖａ（登録商標）プログラムが記録されたＢＤとするものである。したがって、ユーザの要求に応じた所望のＪａｖａ（登録商標）プログラムを音声映像情報とともに簡単に記録できる装置の開発も望まれていた。
【０００５】
本発明が解決しようとする課題は、所望のデジタル音声映像情報と所望のＪａｖａ（登録商標）プログラムとをＢＤに簡単な操作で記録することができる記録装置を提供することである。
【課題を解決するための手段】
【０００６】
本発明に係る記録装置は、外部撮像装置で撮影したデジタル音声映像情報を入力する入力部と、前記入力されたデジタル音声映像情報をＢＤＭＶ形式のデジタル音声映像情報に変換する変換部と、一又は複数のネットワーク接続機能を有するプログラムが格納された記憶部と、前記変換部で変換されたＢＤＭＶ方式のデジタル音声映像情報と、前記記憶部に格納されたプログラムとをブルーレイディスク媒体に記録する記録制御部と、を備えることを特徴とする。
【０００７】
上記記録装置において、前記記憶部に格納されたプログラムを選択する選択部をさらに備え、前記記録制御部は、前記変換部で変換されたＢＤＭＶ方式のデジタル音声映像情報と、前記選択部で選択されたプログラムとをブルーレイディスク媒体に記録するように構成することもできる。
【０００８】
また上記記録装置において、前記プログラムは、再生装置を所定のサーバに接続して、当該再生装置に所定の情報をダウンロードするステップを含むように構成することもできる。この場合に、前記所定のサーバからダウンロードする所定の情報は、前記撮像装置に関連付けられた情報、たとえば撮像装置の製品情報、周辺機器情報、撮像装置の製造会社と関連する他社の情報として構成することもできる。
【０００９】
また上記記録装置において、前記プログラムは、前記再生装置を複数の所定のサーバに連続的又は選択可能に接続するステップを含むように構成することもできる。
【００１０】
また上記記録装置において、前記プログラムは、前記ブルーレイディスク媒体に予め記録された又は当該記録装置により書き込まれた当該ブルーレイディスク媒体の固有識別子を前記再生装置に接続されたサーバに送信し、前記サーバは、受信したブルーレイディスク媒体の固有識別子に基づいて送信する情報を選択するように構成することもできる。
【００１１】
また上記記録装置において、前記プログラムは、再生装置を所定のサーバに接続して、前記ブルーレイディスク媒体に記録されたデジタル音声映像情報をアップロードするステップを含むように構成することもできる。
【００１２】
また上記記録装置において、前記プログラムは、再生装置において前記ブルーレイディスク媒体に記録されたデジタル音声映像情報を再生中に、所望の情報位置（しおりの機能）を当該再生装置の記憶部に記録するステップを含むように構成することができる。
【００１３】
また上記記録装置において、前記プログラムは、再生装置において前記ブルーレイディスク媒体に記録されたデジタル音声映像情報を再生中に、所望の情報位置を検索するステップを含むように構成することができる。
【００１４】
また上記記録装置において、前記プログラムは、遊戯プログラムを含むように構成することができる。
【発明の効果】
【００１５】
本発明によれば、所望のデジタル音声映像情報と所望のＪａｖａ（登録商標）プログラムとを簡単な操作でＢＤに記録することができる。
【図面の簡単な説明】
【００１６】
【図１】発明の実施形態に係るデジタル音声映像情報記録装置を示すブロック図である。
【図２】図１に示す記録装置で作成したＢＤを再生した場合のトップメニューを示す図である。
【図３】図１に示す記録装置で作成したＢＤを再生した場合の再生映像とポップアップメニューを示す図である。
【図４】図１に示す記録装置で作成したＢＤを再生した場合のＢＤ−Ｌｉｖｅのトップメニューを含む構成を示すブロック図である。
【図５Ａ】図４のトップメニューのうち製品情報ダウンロードの内容を示す図である。
【図５Ｂ】図４のトップメニューのうち周辺アクセサリネットショップの内容を示す図である。
【図５Ｃ】図４のトップメニューのうち音声映像アップロードの内容を示す図である。
【図５Ｄ】図４のトップメニューのうち他社広告の内容を示す図である。
【図５Ｅ】図４のトップメニューのうち他社ネットショップの内容を示す図である。
【発明を実施するための形態】
【００１７】
以下、本発明の実施形態を図面に基づいて説明する。
【００１８】
《第１実施形態》
図１は、本実施形態に係るデジタル音声映像情報記録装置１を示すブロック図である。本例の記録装置１は、高解像ビデオカメラ２やデジタルカメラ３などの撮像装置で撮影したデジタル音声映像情報を入力する、ＵＳＢ端子などで構成される入力部１１と、この入力されたデジタル音声映像情報をＢＤＭＶ形式のデジタル音声映像情報に変換する変換部１２と、一又は複数のネットワーク接続機能を有するＪａｖａ（登録商標）プログラムが格納された記憶部１４と、記憶部１４に格納されたＪａｖａ（登録商標）プログラムを選択する選択部１３と、変換部１２で変換されたＢＤＭＶ方式のデジタル音声映像情報と、選択部１３で選択されたＪａｖａ（登録商標）プログラムをブルーレイディスク媒体ＢＤに記録する記録制御部１５と、記録制御部１５による記録開始指示や選択部１３による選択指示をユーザが行うための、ボタンなどから構成される操作部１６と、選択部１３によるプログラムの表示などを行う、ディスプレイなどから構成される表示部１７とを備える。
【００１９】
ＨＤビデオカメラ２やデジタルカメラ３で撮影した音声映像情報（一部映像のみの情報もある）は、ＤＶＤ規格やＡＶＣＨＤ（登録商標）規格に基づいたフォーマットで定義された情報であり、これを、入力部１１を介して変換部１２へ取り込む。実際には、ビデオカメラ２又はデジタルカメラ３の操作メニューを操作して、複数の動画又は静止画の中から所望の動画又は静止画を選択し、撮像装置側から記録装置１へ送り込む。
【００２０】
変換部１２は、上述したＤＶＤ規格などで定義された音声映像情報を、変換プログラムを用いてＢＤＭＶ形式の音声映像信号に変換する。
【００２１】
記憶部１４には、複数のＪａｖａ（登録商標）プログラムが格納され、表示部１７に表示された複数のＪａｖａ（登録商標）プログラムの中からブルーレイディスクＢＤに記録したい所望のＪａｖａ（登録商標）プログラムを操作部１６の操作により、選択することができる。この選択するＪａｖａ（登録商標）プログラムは、通常一つであるが複数のプログラムを選択して記録することもできる。
【００２２】
なお、選択部１３を省略して、予め定められたＪａｖａ（登録商標）プログラムを音声映像情報とともに記録するように構成することもできる。
【００２３】
記憶部１４へのＪａｖａ（登録商標）プログラムの記憶は、入力部１１を介して操作部１６の操作により行うことができる。また予めＪａｖａ（登録商標）プログラムが記録されたＲＯＭを記憶部１４として用いることもできる。
【００２４】
記録制御部１５は、操作部１６の記録開始指令にしたがって、変換部１２で変換されたＢＤＭＶ形式の音声映像情報と、選択部１３で選択されたＪａｖａ（登録商標）プログラムとをブルーレイディスクＢＤに書き込む制御を実行する。
【００２５】
以上の記録装置１により、音声映像信号とＪａｖａ（登録商標）プログラムとが記録されたブルーレイディスクを作成することができる。次に、この記録装置１で作成されたブルーレイディスクＢＤの機能について説明する。
【００２６】
図２は、上述した記録装置１を用いて作成したブルーレイディスクＢＤを再生装置で再生したときのトップメニューを示す図である。左側には記録されている音声映像情報のタイトルが表示され、右下にＪａｖａ（登録商標）プログラムによるＢＤ−Ｌｉｖｅへ移行するためのアイコンが表示される。
【００２７】
図２のトップメニューにおいて、左側のタイトルのいずれかを選択すると図３に示すようにそのタイトルに対応した動画又は静止画が表示されることになる。また、この音声映像情報を表示中に再生装置のポップアップボタンを押すと、図３に示すようにブルーレイディスクＢＤに記録されたタイトルの一覧が表示され、必要に応じて表示するタイトルを切り換えることができる。以上が再生装置における動画又は静止画の再生操作である。
【００２８】
次に、図２のトップメニューにおいて、右下のＢＤ−Ｌｉｖｅのアイコンをクリックすると、そのブルーレイディスクＢＤに記録されたＪａｖａ（登録商標）プログラムが動作し、図４の左下に示すＢＤ−Ｌｉｖｅのトップメニューが表示される。本例では、動画や静止画を撮影したビデオカメラやデジタルカメラといった製品の情報、たとえばそのカメラの製品仕様や取扱説明書などが掲載されたネットワーク上の情報を自動的にダウンロードする項目１と、そのカメラの周辺機器（アクセサリ）を購入するためのネットワーク上のショップにアクセスする項目２と、ブルーレイディスクＢＤに記録された動画や静止画を所定のサイト、たとえばＹＯＵＴＵＢＥ（登録商標）などにアップロードする項目３と、そのカメラ又はカメラのメーカと提携した他社の広告サイトにアクセスする項目４と、そのカメラのメーカと提携した他社のネットショップ、たとえば楽天（登録商標）サイトやＡｍａｚｏｎ（登録商標）サイトなどにアクセスする項目５が表示される。
【００２９】
ここで、たとえば項目１又は２を選択すると、Ｊａｖａ（登録商標）プログラムにしたがって、再生装置はインターネットを介してＢＤ−Ｌｉｖｅサーバに接続され、そのカメラの製品情報や周辺機器情報がダウンロードされ、再生装置のディスプレイに表示される。また、項目３〜５を選択すると、再生装置はインターネットを介してＢＤ−Ｌｉｖｅサーバに接続され、当該ＢＤ−Ｌｉｖｅサーバからインターネットを介して他社広告サーバ、他社ネットショップサーバ又は音声映像情報のアップロードサーバに接続される。
【００３０】
図５Ａは、図４において項目１を選択した場合の製品情報の表示例を示す図である。ブルーレイディスクＢＤに記録されたＪａｖａ（登録商標）プログラムにはそのカメラの型式番号などが記録され、これによりＢＤ−Ｌｉｖｅサーバの中から該当するサイトにアクセスし、その製品情報を再生装置のディスプレイに表示する。これにより、ユーザはカメラの製品仕様や取扱説明書を入手することができる。また、カメラのメーカにとってはブルーレイディスクＢＤに自社のカメラ製品の情報を自動的に入手できるＪａｖａ（登録商標）プログラムが記録されているので、いわゆるユーザの囲い込みを行うことができ、広告・拡販効果が期待できる。
【００３１】
図５Ｂは、図４において項目２を選択した場合の周辺機器ネットショップの表示例を示す図である。上述したように、ブルーレイディスクＢＤのＪａｖａ（登録商標）プログラムにはそのカメラの型式番号などが記録されているので、この型式番号の周辺機器が掲載されたネットショップにアクセスし、その周辺機器、ＳＤカードやＳＤＨＣカードなどの記録媒体、カメラの交換レンズやフィルタ、ＡＣ／ＤＣバッテリチャージャ、ケーブル類、カメラの収納バッグ、三脚などの情報を再生装置のディスプレイに表示する。これによりユーザはカメラの周辺機器を容易に購入することができる。また、上記項目１と同様に、カメラメーカにとってはユーザの囲い込みによる広告・拡販効果が期待できる。
【００３２】
図５Ｃは、図４において項目３を選択した場合の再生装置のディスプレイに表示されるアップロードメニューの一例である。ブルーレイディスクＢＤのＪａｖａ（登録商標）プログラムには動画や静止画を自由にアップロードするサイト（上述したＹＯＵＴＵＢＥ（登録商標）など）のＵＲＬが記録され、これにしたがってそのサイトにアクセスし、アップロードを選択すると、図５Ｃに示すようにそのブルーレイディスクＢＤに記録された動画又は静止画の一覧が表示される。この中からアップロードしたい画像を選択することによりそのサイトに自分で撮影した画像を簡単にアップロードすることができる。
【００３３】
図５Ｄは、図４において項目４を選択した場合の他社製品情報の表示例を示す図である。この場合の他社とは、そのカメラのメーカと提携したカメラメーカなどであり、自社の販売ネットワークを他社に提供する代わりにその対価としての広告収入を得ることができる。またユーザにとっては、そのカメラメーカ以外のメーカのカメラに関する情報をも入手することができる。
【００３４】
図５Ｅは、図４において項目５を選択した場合のネットショップの表示例を示す図である。この場合も項目４と同様に、そのカメラのメーカと提携したネットショップにアクセスするので、自社の顧客をネットショップに誘導する代わりにその対価としての広告収入を得ることができる。またユーザにとっては、そのカメラに関連するネットショップからの情報を簡単に入手することができる。
【００３５】
図示は省略するが、項目１や項目２を選択した場合（図５Ａや図５Ｂ）において、一つのサーバだけではなく複数のサーバに接続するステップをＪａｖａ（登録商標）プログラムに含ませ、所定時間間隔でダウンロードする情報画面を連続的に切り換えたり、あるいは最初のダウンロード画面にポップアップメニューを表示させてユーザが複数のサーバから所望のサーバを選択したりするように構成することもできる。
【００３６】
また、ブルーレイディスクＢＤには予めその媒体固有の識別子が記録されているが、この固有識別子を、再生装置を介してサーバに送信するステップをＪａｖａ（登録商標）プログラムに含ませることもできる。固有識別子を受信したサーバは固有識別子ごとに提供する情報を選択したり、過去に提供した情報を記憶しておいて履歴情報を再生装置のディスプレイに表示したりすることもできる。この変形実施形態については後述する。
【００３７】
また、Ｊａｖａ（登録商標）プログラムにいわゆるしおり機能を再生装置に記憶させるステップを含ませることもできる。すなわち、ブルーレイディスクＢＤを再生中に、ある特定のシーンで再生装置のしおりボタンを押すことにより、再生装置の記憶部にそのシーンのアドレスを登録する。そして、再度再生したときに登録したしおりを選択することで、その特定シーンを検索しジャンプする。
【００３８】
さらに、Ｊａｖａ（登録商標）プログラムに遊戯（ゲーム）プログラムを含ませ、再生装置でゲームプログラムを実行させるように構成することもできる。
【００３９】
《第２実施形態》
上述した第１実施形態では、図１に示す記録装置１を用いてビデオカメラ２やデジタルカメラ３などの撮像装置で撮影したデジタル音声映像情報を、ネットワーク接続機能を有するＪａｖａ（登録商標）プログラムとともにブルーレイディスク媒体ＢＤに書き込み、このブルーレイディスク媒体ＢＤを用いて図４に示すＢＤ−Ｌｉｖｅサーバに接続するように構成し、一つの実施形態としてブルーレイディスク媒体ＢＤに予め記録された固有識別子ＩＤをサーバに送信し、固有識別子ごとに提供する情報を選択したり、過去に提供した情報を記憶しておいて履歴情報を再生装置のディスプレイに表示したりするように構成した。
【００４０】
他の実施形態として、ネットワーク接続機能を有するＪａｖａ（登録商標）プログラムと、その媒体の固有識別子ＩＤとをプレスなどによって記録したブルーレイディスク媒体ＢＤを用いて、ＢＤ−Ｌｉｖｅサーバへの接続を行うこともできる。
【００４１】
この種の媒体ＢＤ−ＲＯＭは、たとえば書籍、カタログなどに付録され、これを受け取ったユーザが図４に示すＢＤ再生装置にセットすると、Ｊａｖａ（登録商標）プログラムが起動し、ネットワークを介して当該Ｊａｖａ（登録商標）プログラムにて指定されたＢＤ−Ｌｉｖｅサーバに接続する。
【００４２】
上述した第１実施形態では、ＢＤ−Ｌｉｖｅサーバに接続したら、図４に示すトップメニューが立ち上がるようにサーバが構成されていたが、本例では媒体ＢＤ−ＲＯＭにＪａｖａ（登録商標）プログラムとともに格納されたその媒体の固有識別子ＩＤを読み出し、固有識別子ＩＤに応じてトップメニュー以降の情報の出力を許可したり、あるいは出力するコンテンツを選択したりする。
【００４３】
すなわち、図４に示すシステムにおいて、ＢＤ−Ｌｉｖｅサーバには、媒体ＢＤ−ＲＯＭに格納された固有識別子ＩＤを読み出すプログラムがインストールされ、アクセスしてきた媒体ＢＤ−ＲＯＭの固有識別子ＩＤをサーバに読み出す。この媒体の固有識別子の読み出しプログラムは媒体ＢＤ−ＲＯＭ自体に格納することも可能ではあるが、そうすると読み出しプログラムのロジックが解明され、偽造されるおそれがあるため、ＢＤ−Ｌｉｖｅサーバにのみインストールしておくことが望ましい。
【００４４】
そして、ＢＤ−Ｌｉｖｅサーバに、予め接続を許可する固有識別子ＩＤを入力しておき、アクセスしてきた媒体の固有識別子と比較することで情報出力するか否かを判断し、許可する固有識別子であれば図４に示すトップメニューを出力し、それ以降のコンテンツのダウンロードを許可する。アクセスしてきた媒体ＢＤ−ＲＯＭの固有識別子が許可できないものである場合は「接続できません」などの注意喚起の文字列をＢＤ再生装置へ出力する。
【００４５】
このような媒体ＢＤ−ＲＯＭによれば、特定された媒体のみが特定のＢＤ−Ｌｉｖｅサーバに自動アクセスすることができ、特定のコンテンツを特定のユーザに提供することができる。
【符号の説明】
【００４６】
１…記録装置
１１…入力部
１２…変換部
１３…選択部
１４…記憶部
１５…記録制御部
【図１】
2010113792.tif 000003
【図２】
2010113792.tif 000004
【図３】
2010113792.tif 000005
【図４】
2010113792.tif 000006
【図５Ａ】
2010113792.tif 000007
【図５Ｂ】
2010113792.tif 000008
【図５Ｃ】
2010113792.tif 000009
【図５Ｄ】
2010113792.tif 000010
【図５Ｅ】
2010113792.tif 000011